(57)【特許請求の範囲】
【請求項１】
可撓性を有するバンド主部の基端に、前記バンド主部をその先端部から挿通させて抜け止め状に係止させる挿通係止孔を有したロック部が一体に連設されて成る結束バンドの一対を通すための挿通孔と、結束対象における十字状又は略十字状に枝分かれ若しくは交差する十字状部分にあてがわれる当接部とが形成されたターミナル本体を有し、
前記挿通孔に前記一対のバンド主部が挿通された状態では、前記挿通孔が、それらバンド主部どうしが互いに重なり、かつ、交差する構成が可能で、前記一対のバンド主部が互いに重なる平行姿勢と、互いに直交又はほぼ直交する十字姿勢とに亘る任意の相対角度姿勢に調節設定することが自在となる単一の孔に形成されている十字結束用ターミナル。
【請求項２】
前記ターミナル本体に、前記結束対象を支持部材に係止するためのクランプ部が設けられている請求項１に記載の十字結束用ターミナル。
【発明の詳細な説明】
【技術分野】
【０００１】
本発明は、ワイヤーハーネス等の結束対象における十字状又は略十字状に枝分かれ若しくは交差する十字状部分を十字結束状態に保持するのに好適に使用できる十字結束構造や、これに好適に用いられる十字結束用ターミナル、並びに十字結束方法に関するものである。
【背景技術】
【０００２】
結束対象の一例として、例えば、各種産業機械や自動車に用いられるワイヤーハーネスが挙げられ、このワイヤーハーネスにおいては、多数の電線をばらけないように束ねるために、適宜の長さ毎に結束バンドを用いて結束されている。この場合、Ｔ字状に枝分かれ配線される箇所をしっかりと結束するには、特許文献１や２に示されたワイヤーハーネス分岐部用結束バンドを用いる。また、特許文献３には、バンド主部のロック部への挿入操作が容易化されるように改良されたワイヤーハーネス分岐部用結束バンドが示されている。これらの分岐部用結束バンドにより、ワイヤーハーネスにおける三方に枝分かれする分岐部を良好に結束状態に保持できるようになっている。
【０００３】
近年のワイヤーハーネスにおいては、電気設備や電子機器の増大により、益々肥大化、長大化してきており、上記分岐部としては、主ハーネス部から三方に枝分かれするとか、一対のワイヤーハーネス部分が立体交差する等、十字状に枝分かれ若しくは交差するものも増えてきている。そのような十字状部分には、前述のワイヤーハーネス分岐部用結束バンドは使用できないので、従来ではテープ（ビニールテープ、シリコンテープ等の粘着テープ）を十字状に巻付けて束ねる、という人為作業によるテープ巻付けを行い、十字状部分を実質的に結束状態にして維持するようにしていた。
【０００４】
しかしながら、テープを巻いて結束状態を維持させる手段では、テープをワイヤーハーネスに巻付ける操作が多数回必要であり、１回の巻付け操作で済む結束バンドによる結束作業に比べて時間や労力が掛かるとともに、熟練度が必要とされる。また、結束作業をし易くするために、基板に植設された多数のＹ字状治具にワーヤーハーネスを仮支持させて、少しワイヤーハーネスを持上げた状態とする結束治具手段を用いる場合において、十字状部分にテープを巻くには、その部分を一旦Ｙ字状治具から上方に外すために大きく持上げねばならず、その持上げ操作が面倒で煩わしいとともに、その際に枝分かれ箇所や交差箇所がずれ動いてしまう不都合が生じ易いという問題もあった。
【０００５】
加えて、一般的な合成樹脂製のテープは、クリープ変形したり粘着剤が劣化する等、比較的経時変化が起こり易く、時間経過に伴って十字状部分の結束状態が不安定になったり緩んだりすることがあり、耐久性（信頼性）にはやや難がある。このように、ワイヤーハーネスの十字状部分を結束するに関しては改善の余地が残されているものであった。
【特許文献１】実開昭６３−９７２７９号公報
【特許文献２】実開平６−６５６８２号公報
【特許文献３】特開２００４−１５９５１号公報
【発明の開示】
【発明が解決しようとする課題】
【０００６】
本発明の目的は、上記のような実情に鑑みることにより、ワイヤーハーネス等の結束対象における十字状部分を、簡単で迅速に結束作業が行え、結束状態を長期に亘って安定維持できるものとなるよう、改善された十字結束構造を提供する点にある。また、その十字結束構造に好適な十字結束用ターミナルや、十字結束方法を提供することも目的とする。
【課題を解決するための手段】
【０００７】
請求項１に係る発明は、十字結束用ターミナル１において、可撓性を有するバンド主部２の基端に、前記バンド主部２をその先端部２ａから挿通させて抜け止め状に係止させる挿通係止孔３ａを有したロック部３が一体に連設されて成る結束バンドＶの一対を通すための挿通孔７と、結束対象Ｗにおける十字状又は略十字状に枝分かれ若しくは交差する十字状部分Ｂにあてがわれる当接部４とが形成されたターミナル本体１Ａを有し、
前記挿通孔７に前記一対のバンド主部２，２が挿通された状態では、前記挿通孔７が、それらバンド主部２，２どうしが互いに重なり、かつ、交差する構成が可能で、前記一対のバンド主部２，２が互いに重なる平行姿勢と、互いに直交又はほぼ直交する十字姿勢とに亘る任意の相対角度姿勢に調節設定することが自在となる単一の孔に形成されていることを特徴とする。
【０００８】
【０００９】
請求項２に係る発明は、請求項１に記載の十字結束用ターミナル１において、前記ターミナル本体１Ａに、前記結束対象Ｗを支持部材２１に係止するためのクランプ部１Ｂが設けられていることを特徴とする。
【００１０】
【００１１】
【００１２】
【発明の効果】
【００１３】
（イ）本発明によれば、十字結束用ターミナルと、これの挿通孔にバンド主部が挿通される一対の結束バンドとで構成される十字結束用バンドを用いて結束対象の十字状部分を十字結束させる手段である。つまり、ワイヤーハーネス等の結束対象の十字状部分を、一対の結束バンドを用いて十字結束することができるから、結束作業としてはバンド主部をロック部に挿通して引締め操作するだけで良いとともに、結束を解除するにはバンド主部をロック部から外すかバンド主部を切断するかという簡単な処理で済むものとなる。その結果、十字状部分にテープ巻きしていた従来手段に比べて、簡単で迅速に結束作業が行え、結束状態を長期に亘って安定維持できるものとなるように改善することができる。
【００１４】
請求項１の発明によれば、前記効果（イ）を得るための十字結束用ターミナルを規定するものであり、バンド主部を挿通自在な挿通孔を形成することで、結束バンドとは互いに独立した１個の小さな部品として構成することが可能になり、取り扱いや運搬において有利であり、しかも廉価に作成できる利点がある。バンド主部が挿通自在であることから、十字結束用ターミナルに対する結束バンドの位置が自在に調節可能であり、十字状部分に対するロック部並びにバンド主部の位置を調節して、巻付け操作や結束操作が行い易い位置や姿勢に設定できる利点もある。また、一対の結束バンドは十字結束用ターミナルにおいて交差し、かつ、その相対位置が定められるようになるので、位置ずれなく安定した十字結束状態が維持されるという利点もある。
【００１５】
請求項１の発明によれば、一対の結束バンドのバンド主部を、それらが重ねられた平行姿勢として挿通孔に挿通させる、というワンアクションで２個のバンド主部の挿通操作が行える便利さが得られるとともに、挿通孔は単一の孔であるから、一対のバンド主部を挿し間違いなく確実に挿通操作できるようになる。そして、バンド主部の挿通孔への挿通後に、それら一対のバンド主部を互いに遠ざかる方向に回動操作して、互いに直交又はほぼ直交する十字姿勢、即ち十字状部分を結束するに適した姿勢にすることができる。その結果、結束バンドの挿通操作を簡単、確実、迅速に行えるようにしながら良好な十字結束が行えることに寄与する優れた十字結束用ターミナルを提供することができる。
【００１６】
請求項２の発明によれば、ターミナル本体に設けられたクランプ部を用いて、十字結束用ターミナル、即ち結束対象の十字結束部分を支持部材にクランプさせることが可能になる。それにより、例えば、専用の支持手段を用いて十字結束用ターミナルを支持部材に支持させる手段に比べて、構造簡単で廉価に、或いはコンパクトに支持させることが可能となる利点がある。
【００１７】
【００１８】
【００１９】
【発明を実施するための最良の形態】
【００２０】
以下に、本発明による結束対象分岐部の十字結束構造及び十字結束方法、並びにそれに用いる十字結束用ターミナルの実施の形態について、図面を参照しながら説明する。先ず、ワイヤーハーネス（結束対象の一例）における十字状部分Ｂ（結束対象における十字状又は略十字状に枝分かれ若しくは交差する十字状部分の一例）の結束に用いる十字結束用バンドについて説明する。
【００２１】
〔実施例〕
十字結束用バンドＡは、図１に示すように、一対の結束バンドＶ，Ｖと、これらが挿通される十字結束用ターミナル１との三部品で構成され、ワイヤーハーネスＷの十字状部分Ｂ（図８，９参照）を十字結束する部品である。十字状部分Ｂは、電線ｒの立体交差箇所において互いに二股分岐することで形成されているが、一群の電線ｒが互いに逆向きに二股分岐するとか、三股状に枝分かれ、又は電線ｒの立体交差箇所という構造でも良い。結束バンドＶは、ナイロン、ポリプロピレン等の可撓性を有する合成樹脂材製のバンド主部２の基端に、バンド主部２をその先窄まり状の先端部２ａから挿通して抜け止め状に係止させる挿通係止孔３ａを有したロック部３が一体に連設されて成る公知のバンドである。
【００２２】
十字結束用ターミナル１は、図１〜図４に示すように、ターミナル本体１Ａと、これの下側に一体に連設されるクランプ部１Ｂとを有して構成されている。ターミナル本体１Ａは、上下一対の円形壁４，５と、これら上円形壁（当接部の一例）４と下円形壁５とを連結一体化する一対の支柱部６，６とから成り、これら上下の円形壁４，５及び一対の支柱部６，６とで囲まれた部分が、結束バンドＶの一対を通すための単一の挿通孔７に形成されている。上円形壁４の上面４ａは、ワイヤーハーネスＷにおける十字状又は略十字状に枝分かれする十字状部分Ｂに宛がわれる当接部［図２（ｂ）参照］として機能する。尚、十字結束用ターミナル１は、可撓性を有する合成樹脂材で形成されている。
【００２３】
挿通孔７の形状並びに大きさは、図２〜図５に示すように、この挿通孔７に一対のバンド主部２，２が挿通された状態では、それらバンド主部２，２どうしが互いに上下に重なり、かつ、平面視で直交に交差する構成（立体交差）が可能となるものに設定されている。即ち、図３に示すように、正面視における挿通孔７は、バンド主部２の厚さの２倍強の上下幅を有する横長の矩形を呈するとともに、平面視における挿通孔７は、図５に示すように、一対の支柱部６の断面形状を、４５度に傾けられたカット面６ａを両端に有する幅の短いものとして、開口端側ほど幅が広く、中央部で最も幅が狭くなる略鼓形のものに形成されている。これにより、バンド主部２，２が挿通孔７に挿通された状態においては、これら一対のバンド主部２，２が上下に丁度重なる平行姿勢（図７参照）と、一対のバンド主部２，２が、円形壁４，５の中心位置Ｐに関して互いに直交する十字姿勢（図５の仮想線で示す姿勢参照）、及びこれら両姿勢の間の任意の相対角度姿勢に調節設定することが自在である。
【００２４】
クランプ部１Ｂは、下円形壁５の下側に連続して形成されるスカート部８と、これから下方に突設される支持部９と、支持部９に片持ち支持される一対の係合片１０，１０とから構成されている。スカート部８は、外周側がやや下方に湾曲され、かつ、平面視で円形壁４，５よりも径の大きい円形の形状に形成されている。支持部９は、スカート部８の中央部分から垂下された正面視形状が略Ｕ字状［図３（ａ）参照］のものであり、その下端横臥部分９ａの前側及び後側の夫々から係合片１０が片持ち状で立設されている。また、支持部９の下端部は先細りとなるように形成されている。係合片１０は、その上端が側面視で階段状［図４（ａ）参照］に形成され、かつ、その大部分が支持部９の前縁９ｂからは前に、そして、後縁９ｃからは後に食み出す状態［図２（ｂ）参照］で片持ち支持されている。つまり、各係合片１０は、支持部９との接続部分を支点として前後揺動するような状態で弾性変形可能に支持されている。
【００２５】
クランプ部１Ｂは、十字結束用ターミナル１を固定部材に嵌め込んで係止させるためのものであり、例えば、図６に示すように、自動車の内装板（支持部材の一例）２１に形成された装着孔２３にクランプさせる。即ち、係合片１０を内側に弾性変形させるながら支持部９を装着孔２３に押し込み、係合片１０の上端と弾性変形するスカート部８との間に内装板２１を挟み込むことで、十字結束用ターミナル１を内装板２１に係止させることができる。尚、クランプ部１Ｂとしては上記の構造、形状のものに限定されず、種々の別構造、形状のものを採用することが可能である。
【００２６】
この場合、図６の左側に描いたように、内装板２１の板厚が薄いときには、係合片１０の最上端部１０ａとスカート部８との間で内装板２１が挟持され、図６の右側に描いたように、板厚が厚い内装板（支持部材の一例）２２のときには、係合片１０の段差部１０ｂとスカート部８との間で内装板２２が挟持される状況となる。つまり、係合片１０上端部の段差構造と、弾性変形するスカート部８との協働により、複数種類の厚みの内装板２１，２２でも不都合なく係合できて、しっかりと係止固定できるように工夫されている。
【００２７】
次に、十字結束用バンドＡを用いて、多数の電線ｒの集合体であるワイヤーハーネスＷの十字状部分Ｂを十字結束する結束方法（手順）について説明する。図８や図９に示す十字状部分Ｂは、先ず、２個の結束バンドＶ，Ｖと、１個の十字結束用ターミナル１とを用意し、両バンド主部２，２を十字結束用ターミナル１の挿通孔７に通して、図１に示すように、これら３部品で成る十字結束用バンドＡを作成すべくバンド挿通工程を行う。このバンド挿通工程は、ワイヤーハーネスＷの十字状部分Ｂの存在数に対応する数について行っておく。
【００２８】
図７には、基板１１における十字結束用の治具部分が示されており、基板１１上に四角配置状態で植設された四個のＹ字状治具１２と、それらのほぼ中心位置において基板１１に植設されるターミナルスタンド１３とが配備されている。ターミナルスタンド１３の上面には、前述の内装板２１の装着孔２３と同様の装着孔（図示省略）が形成してあり、その装着孔にクランプ部１Ｂを挿入することにより、十字結束用ターミナル１の挿通孔７に一対の結束バンドＶ，Ｖが挿通されて成る十字結束用バンドＡを、ターミナルスタンド１３上に仮係止させる装着工程を行う。このとき、図７に仮想線で示すように、一対の結束バンドＶ，Ｖを回動移動させて、バンド主部２どうしが交差状態となる十字姿勢に回動移動させておいても良い。尚、ターミナルスタンド１３としては、装着孔が無く、単に十字結束用ターミナル１を載置するだけのものでも良い。
【００２９】
次いで、図８に示すように、ワイヤーハーネスＷを基板１１上に移動し、その十字状部分Ｂが丁度ターミナルスタンド１３、つまりは十字結束用ターミナル１上に位置するように、各ハーネス部分Ｗ１，Ｗ２，Ｗ３，Ｗ４を各Ｙ字状治具１２のＵ字状受部１２Ａに嵌め入れるハーネス仮設置工程を行う。このとき、例として、第１ハーネス部分Ｗ１と第２ハーネス部分Ｗ２との間に形成される第１隅角部ｓｋ１に一方の検束バンドＶのバンド主部２が位置し、第２ハーネス部分Ｗ２と第３ハーネス部分Ｗ３との間に形成される第２隅角部ｓｋ２に他方の検束バンドＶのロック部３が位置し、第３ハーネス部分Ｗ３と第４ハーネス部分Ｗ４との間に形成される第３隅角部ｓｋ３に一方の検束バンドＶのロック部３が位置し、第４ハーネス部分Ｗ４と第１ハーネス部分Ｗ１との間に形成される第４隅角部ｓｋ４に他方の検束バンドＶのバンド主部２が位置する状態に設置する。尚、ワイヤーハーネスＷの治具１２への設置後に、若干十字状部分Ｂを持上げることにより、十字結束用バンドＡをターミナルスタンド１３に係止させることも可能である。
【００３０】
それから、一方の結束バンドＶを、第１隅角部ｓｋ１に位置するバンド主部２、及び第３隅角部ｓｋ３に位置するロック部３を共に上方に曲げ変位させて互いに近付け、バンド主部２をその先端側からロック部３の挿通係止孔３ａに挿通させる。つまり、十字状部分Ｂに形成される四箇所の隅角部ｓｋ１〜ｓｋ４のうちの対向する隅角部ｓｋ１，ｓｋ３どうしに亘る状態でワイヤーハーネスＷに巻回して結束させる第１結束工程を行う。一方の結束バンドＶの結束が終わると、他方の結束バンドＶを、第４隅角部ｓｋ４に位置するバンド主部２、及び第２隅角部ｓｋ２に位置するロック部３を共に上方に曲げ変位させて互いに近付け、バンド主部２をその先端側からロック部３の挿通係止孔３ａに挿通させる。つまり、十字状部分Ｂに形成される四箇所の隅角部ｓｋ１〜ｓｋ４のうちの対向する隅角部ｓｋ２，ｓｋ４どうしに亘る状態でワイヤーハーネスＷに巻回して結束させる第２結束工程を行う。
【００３１】
そして、図９に示すように、両結束バンドＶの結束後においてロック部３から飛び出しているバンド主部２の余剰部分２ｙを切り落とす切除工程を行い、十字結束作業が終了する。尚、ターミナルスタンド１３からクランプ部１Ｂを引抜く仮係止状態の解除は、全ての結束作業が終了してワイヤーハーネスＷを基板１１から取出す際に行われるようになるが、バンド余剰部分２ｙの切除後直ぐに行っても良い。
【００３２】
上記のようにして十字結束用バンドＡを用いて十字結束された十字状部分Ｂにおける十字結束構造は、一対のバンド主部２，２を十字結束用ターミナル１の挿通孔７に通した状態で、一方の結束バンドＶのバンド主部２を、十字状部分Ｂに形成される四箇所の隅角部ｓｋ１〜ｓｋ４のうちの対向する隅角部ｓｋ１，ｓｋ３どうしに亘る状態でワイヤーハーネスＷに巻回させて一方の結束バンドＶのロック部３に挿通して結束し、かつ、他方の結束バンドＶのバンド主部２を、四箇所の隅角部ｓｋ１〜ｓｋ４のうちの残りの対向する隅角部ｓｋ２，ｓｋ４どうしに亘る状態でワイヤーハーネスＷに巻回させて他方の結束バンドＶのロック部３に挿通して結束されることにより、構成されている。
【００３３】
一対の結束バンドＶ，Ｖは、それらのバンド主部２がターミナル本体１Ａの挿通孔７に単に通されているだけであるから、ロック部３を挿通孔７の間際に位置させるとか遠く離して位置させる等、ターミナル本体１Ａに対する結束バンドＶの位置が任意に調節できるとともに、各結束バンドＶ，Ｖの交差角度も０度から９０度の範囲内で自由に選択設定することが可能である。従って、十字結束の対象となるワイヤーハーネスＷの十字状部分Ｂの交差角度は、９０度（直交）〜０度の範囲内におけるあらゆる角度条件に対応可能であり、かつ、容易に結束作業が行える便利で扱い易い十字結束用バンドＡ及びそれに用いる十字結束用ターミナル１が実現できている。また、結束バンドＶの長さや太さ、或いは材質等の変更により、ワイヤーハーネスＷの径の大小、形状の異なり等の諸条件に対応して良好に十字結束させることが可能である。
【００３４】
【００３５】
【００３６】
【００３７】
「十字状又は略十字状に」とは、直交や略直交状態は勿論、Ｘ状、ψ状、χ状、平行に近い交差角度の四差路状でも良く、要は４本の結束対象が一点で交わる形態の全てを包含するものと定義する。さらには、５本以上の結束対象が一点で交わる形態でも十字結束可能であり、このような五差路以上の箇所も本明細書においては「十字状部分」の範疇に含まれるものと定義する。
【図面の簡単な説明】
【００３８】
【図１】十字結束用バンドを示す全体斜視図
【図２】実施例１の十字結束用ターミナルを示し、（ａ）は平面図、（ｂ）は側面図、
【図３】図２の十字結束用ターミナルを示し、（ａ）は正面図、（ｂ）は底面図
【図４】図２の十字結束用ターミナルを示し、（ａ）は図３（ａ）のＢ−Ｂ線断面図、（ｂ）は図３（ａ）のＡ−Ａ線断面図
【図５】挿通孔及びこれに挿通された一対のバンド主部を示す平面図
【図６】内装板に係止固定された状態の十字結束用ターミナルを示す縦断面図
【図７】十字結束用バンドのターミナルスタンドへの装着工程を示す作用図
【図８】十字結束用バンド上にワイヤーハーネスの十字状部分が配置された状態を示す作用図
【図９】十字状部分が十字結束された状態を示す斜視図
【符号の説明】
【００３９】
１ 十字結束用ターミナル
１Ａ ターミナル本体
１Ｂ クランプ部
２ バンド主部
２ａ 先端部
３ ロック部
３ａ 挿通係止孔
４ 当接部
７ 挿通孔
２１ 支持部材
ｒ 電線
ｓｋ１ 第１隅角部
ｓｋ２ 第２隅角部
ｓｋ３ 第３隅角部
ｓｋ４ 第４隅角部
Ａ 十字結束用バンド
Ｂ 十字状部分
Ｖ 結束バンド
Ｗ 結束対象（ワイヤーハーネス）
【図１】
0004378243.tif 000002
【図２】
0004378243.tif 000003
【図３】
0004378243.tif 000004
【図４】
0004378243.tif 000005
【図５】
0004378243.tif 000006
【図６】
0004378243.tif 000007
【図７】
0004378243.tif 000008
【図８】
0004378243.tif 000009
【図９】
0004378243.tif 000010